(57)【要約】【課題】配線をシールドケースから引き出しても、不要輻射の漏出を充分に低減させることができる表示装置を提供する。【解決手段】表示装置は、映像を表示する表示パネルと、該表示パネルの背面側に配置してあり、光源を支持するバックライトシャーシ４０（支持部）と、該バックライトシャーシ４０に固定してあり、表示パネルの駆動制御又は画像処理を行う画像処理基板５３又は駆動制御基板５４（制御基板）と、該画像処理基板５３又は駆動制御基板５４を覆っており、電磁遮蔽のシールドケース６０とを備え、シールドケース６０はバックライトシャーシ４０に対向し、シールドケース６０及びバックライトシャーシ４０間に弾性部材７０を設けてあり、前記画像処理基板５３又は駆動制御基板５４に接続してあり、シールドケース６０の外側に延びるハーネス５５及びフラットケーブル５６（配線）を弾性部材７０及びバックライトシャーシ４０によって挟持してある。【選択図】図６
2014153415.tif 000002
【特許請求の範囲】
【請求項１】
映像を表示する表示パネルと、該表示パネルの背面側に配置してあり、光源を支持する支持部と、該支持部に固定してあり、前記表示パネルの駆動制御又は画像処理を行う制御基板と、該制御基板を覆っており、電磁遮蔽のシールドケースとを備える表示装置において、
前記シールドケースは前記支持部に対向し、
前記シールドケース及び支持部間に弾性部材を設けてあり、
前記制御基板に接続してあり、前記シールドケースの外側に延びる配線を前記弾性部材及び支持部によって挟持してあること
を特徴とする表示装置。
【請求項２】
前記弾性部材に、前記シールドケースの周方向に交差する方向に沿う二つのスリットを周方向に並設してあり、
前記二つのスリットの間に前記配線を配してあること
を特徴とする請求項１に記載の表示装置。
【請求項３】
前記支持部は前記シールドケースに対向する部分に、前記シールドケースの周方向に交差する方向に離間した二つの突部を有し、
前記二つの突部の間に前記弾性部材を配してあること
を特徴とする請求項１又は２に記載の表示装置。
【発明の詳細な説明】
【技術分野】
【０００１】
本発明は、表示パネルの駆動を制御する制御基板を有し、該制御基板から発する不要輻射の漏出を抑制する表示装置を提供する。
【背景技術】
【０００２】
薄型の表示装置（例えば液晶表示装置）は設置面積に比べて表示面積が大きいことから一般に広く普及している。表示装置は、映像を表示する表示パネルと、該表示パネルの背面側に配置してあり、光源を支持するシャーシと、該シャーシに固定してあり、前記表示パネルの駆動を制御する制御基板とを備える。
【０００３】
薄型になったことで、大画面の表示装置を室内に設置しても、ユーザは以前ほど圧迫感を覚えず、表示面積の大きな表示装置も多数提案されている。表示面積が大きくなった場合、画素の密度が低くなり、映像品質の低下をユーザが感じることがある。そのため高精細の画像表示技術（例えば４Ｋ２Ｋ）を用いて表示画面を構成することが行われている。
【０００４】
高精細の画像表示技術を実現するためには、制御基板にて高速で画像処理を行う必要があり、高い処理速度を実現するためには、大型のプロセッサを制御基板に多数実装することが要求される。その結果高周波の電磁波（不要輻射）が制御基板から発生する。
【０００５】
不要輻射は、表示装置の付近に設置された他の電子機器の誤動作を引き起こすおそれがあり、不要輻射の表示装置からの漏れを回避すべく、制御基板をシールドケースにて覆うことが一般に行われている。シールドケースは制御基板を覆い、シャーシに固定してある。シールドケースには、制御基板に接続された配線をシールドケースの外側に引き出すための孔が設けてある。
【０００６】
上述したように、高速で画像処理を行う場合、高周波の不要輻射が発生するため、シールドケースに設けた孔から無視できない不要輻射が漏れる場合がある。そのため孔の周辺にガスケットを設けて、不要輻射の漏出を低減させることが提案されている（例えば特許文献１）。
【０００７】
特許文献１に記載のガスケットは孔を有し、該孔の内周面にガスケットよりも硬質なシール部が形成されており、ガスケットに設けた孔とシールドケースに設けた孔とを対応させて、配線をシールドケースの外側に引き出すことができる。
【先行技術文献】
【特許文献】
【０００８】
【特許文献１】特許第４２４６６８２号公報
【発明の概要】
【発明が解決しようとする課題】
【０００９】
しかし硬質なシール部は配線に密着せず、配線と孔の内周との間に大きな隙間が発生し、不要輻射の漏出を充分に低減させることはできない。
【００１０】
本発明は斯かる事情に鑑みてなされたものであり、配線をシールドケースから引き出しても、不要輻射の漏出を充分に低減させることができる表示装置を提供することを目的とする。
【課題を解決するための手段】
【００１１】
本発明に係る表示装置は、映像を表示する表示パネルと、該表示パネルの背面側に配置してあり、光源を支持する支持部と、該支持部に固定してあり、前記表示パネルの駆動制御又は画像処理を行う制御基板と、該制御基板を覆っており、電磁遮蔽のシールドケースとを備える表示装置において、前記シールドケースは前記支持部に対向し、前記シールドケース及び支持部間に弾性部材を設けてあり、前記制御基板に接続してあり、前記シールドケースの外側に延びる配線を前記弾性部材及び支持部によって挟持してあることを特徴とする。
【００１２】
本発明に係る表示装置は、前記弾性部材に、前記シールドケースの周方向に交差する方向に沿う二つのスリットを周方向に並設してあり、前記二つのスリットの間に前記配線を配してあることを特徴とする。
【００１３】
本発明に係る表示装置は、前記支持部は前記シールドケースに対向する部分に、前記シールドケースの周方向に交差する方向に離間した二つの突部を有し、前記二つの突部の間に前記弾性部材を配してあることを特徴とする。
【発明の効果】
【００１４】
本発明にあっては、シールドケースの周縁部に弾性部材を設け、該弾性部材及びシャーシ間にて配線を挟持するので、弾性部材は配線の周囲に密着する。そのため配線の周囲にて隙間が発生することを確実に防止し、不要輻射の漏出を充分に低減させることができる。
【図面の簡単な説明】
【００１５】
【図１】実施の形態１に係るテレビジョン受信機を略示する斜視図である。
【図２】後キャビネットを省略した略示背面図である。
【図３】図２に示すＩＩＩ―ＩＩＩ線を切断線とした略示断面図である。
【図４】シールドケースの略示拡大背面図である。
【図５】シールドケースの略示斜視図である。
【図６】シールドケース付近の構成を略示する断面図である。
【図７】スリット付近の弾性部材を略示する拡大図である。
【図８】図７に示すＶＩＩＩ−ＶＩＩＩ線を切断線とした略示拡大断面図である。
【図９】実施の形態２に係るテレビジョン受信機のシールドケース、弾性部材及びバックライトシャーシを略示する拡大断面図である。
【発明を実施するための形態】
【００１６】
（実施の形態１）
以下本発明を実施の形態１に係るテレビジョン受信機を示す図面に基づいて詳述する。図１は、テレビジョン受信機を略示する斜視図である。
【００１７】
図において１はテレビジョン受信機であり、該テレビジョン受信機１は、映像を表示する表示装置１００と、該表示装置１００内に配設してあり、アンテナ（不図示）から放送波（テレビジョン放送）を受信するチューナ２００と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。
【００１８】
表示装置１００は液晶を有する矩形の表示パネル１０を備えており、該表示パネル１０は液晶への印加電圧を制御して光の透過率を調整するように構成されている。表示パネル１０は、正面側及び背面側にそれぞれ配置された前キャビネット２０及び後キャビネット３０内に、縦向きに収容されている。前キャビネット２０は矩形の枠状をなし、その中央部に矩形の開口２０ａを有する。前キャビネット２０は、例えばアルミニウム部材からなる。後キャビネット３０は、正面側が開放された矩形のトレイ状をなし、例えば電気亜鉛めっき鋼板からなる。前キャビネット２０及び後キャビネット３０を金属にすることによって、効率の良い放熱を実現し、また両者の熱膨張係数の差を小さくして歪みの発生を防止することができる。なお前キャビネット２０及び後キャビネット３０を樹脂部材によって構成してもよい。
【００１９】
図２は後キャビネット３０を省略した略示背面図、図３は図２に示すＩＩＩ―ＩＩＩ線を切断線とした略示断面図である。
【００２０】
前キャビネット２０及び後キャビネット３０内には、光源を支持するバックライトシャーシ４０（支持部）が設けてある。バックライトシャーシ４０は正面側が開口した矩形箱形をなし、表示パネル１０の背面側に配してある。バックライトシャーシ４０の正面全体に、光源としてＬＥＤ１５(Light Emitting Diode)を複数設けてある。バックライトシャーシ４０及び表示パネル１０の間には光を拡散する拡散板１１が設けてある。拡散板１１の正面に、集光及び光の拡散を行う光学シート１２が設けてある。ＬＥＤ１５から出射された光は拡散板１１にて拡散し、光学シート１２にて集光及び拡散され、表示パネル１０に至る。
【００２１】
図２に示すように、バックライトシャーシ４０の背面中央部に、縦方向に長い柱状の二つの補強体４５、４５が横方向に並設してある。一方の補強体４５とバックライトシャーシ４０の一方の側縁部との間に、複数の信号（例えばＨＤＭＩ(High Definition Multimedia Interface)信号）を入力し、所定の信号（例えば４Ｋ２Ｋ信号）を生成する入力基板５０、チューナ２００を搭載したメイン基板５１が縦方向に並設してある。
【００２２】
他方の補強体４５とバックライトシャーシ４０の他方の側縁部との間には電力を供給する電源基板５２が設けてある。両補強体４５、４５の間には、画像を処理を行う画像処理基板５３及び液晶の駆動を制御する駆動制御基板５４が設けてある。画像処理基板５３又は駆動制御基板５４には、配線として複数のハーネス５５及びフラットケーブル５６（配線）が接続してあり、画像処理基板５３又は駆動制御基板５４から外側に延出している（後述する図４参照）。
【００２３】
画像処理基板５３及び駆動制御基板５４は、例えば４Ｋ２Ｋに対応した画像処理及び液晶の駆動制御を実行する。４Ｋ２ＫはフルＨＤ(Full High Definition)に比べて４倍の解像度を有するため、フルＨＤに係る映像データが入力された場合、４Ｋ２Ｋに対応させるために、画像処理基板５３及び駆動制御基板５４は高周波で駆動し、大きな電磁波（不要輻射）を発する。そのため画像処理基板５３及び駆動制御基板５４は、電磁波を遮断するシールドケース６０によって覆われている。
【００２４】
図４はシールドケース６０の略示拡大背面図、図５はシールドケース６０の略示斜視図、図６はシールドケース６０付近の構成を略示する断面図、図７はスリット７１付近の弾性部材７０を略示する拡大図、図８は図７に示すＶＩＩＩ−ＶＩＩＩ線を切断線とした略示拡大断面図である。なお図７においてシールドケース６０の記載を省略している。
【００２５】
シールドケース６０は、正面側が開口した矩形縦長の箱形をなす。シールドケース６０の底面６０ａ及び周面６０ｂには、画像処理基板５３及び駆動制御基板５４にて発生した熱を放出するための多数の放熱孔６２、６２、・・・、６２が設けてある。シールドケース６０の周面６０ｂ縁部には、底面６０ａに平行なフランジ部６１が設けてある。フランジ部６１の先端部分は底面６０ａと反対側に略直角に屈曲している。
【００２６】
フランジ部６１の正面には導電性を有する両面テープによって、弾性部材７０が固定してある。弾性部材７０は細長い棒状をなし、少なくともその周面部分は導電性を有する。弾性部材７０は、例えばポリウレタンフォームからなる細長い棒状の本体部分と、該本体部分の周面全体を被覆する導電性布とによって構成される。弾性部材７０は、屈曲したフランジ部６１の先端部分に沿って、フランジ部６１の正面に取付けられている。前記先端部分は弾性部材７０の位置決めを行う。なお両面テープのみならず、弾性部材７０をピンによってフランジ部６１に固定してもよい。
【００２７】
図７に示すように、弾性部材７０には二つのスリット７１、７１が設けてある。スリット７１、７１は、シールドケース６０の周方向に交差又は直交する方向に平行であり、前記周方向に並んでいる。スリット７１は、弾性部材７０の幅方向及び厚み方向（弾性部材７０の長手方向に交差又は直交する二方向）に沿って、弾性部材７０全体に切込みを入れることによって形成されている。
【００２８】
なお二つのスリット７１、７１は、複数の前記ハーネス５５及びフラットケーブル５６それぞれに対応した位置に設けられている。換言すれば、ハーネス５５及びフラットケーブル５６それぞれに対応して、スリット７１、７１の対が弾性部材７０に設けてある。
【００２９】
シールドケース６０は、ハーネス５５及びフラットケーブル５６それぞれがスリット７１、７１の間に位置するように、画像処理基板５３及び駆動制御基板５４を背面側から覆っている。フランジ部６１はバックライトシャーシ４０の背面に対向しており、ねじ止めされている。
【００３０】
ねじ止めによって、フランジ部６１は弾性部材７０を介してバックライトシャーシ４０に近接し、弾性部材７０はバックライトシャーシ４０に密着する。図８に示すように、画像処理基板５３又は駆動制御基板５４から延出したハーネス５５及びフラットケーブル５６は、スリット７１の間に位置する弾性部材７０及びバックライトシャーシ４０に挟持される。
【００３１】
弾性部材７０は、ハーネス５５及びフラットケーブル５６から作用する力によってハーネス５５及びフラットケーブル５６の周面を覆うように弾性変形し、ハーネス５５及びフラットケーブル５６に密着する。その結果、ハーネス５５及びフラットケーブル５６の周囲に隙間が発生することを防止し、不要輻射の漏出を充分に低減させることができる。
【００３２】
またスリット７１、７１によって弾性部材７０の連続性が断たれているため、弾性部材７０におけるスリット７１、７１の間に位置する部分のみが変形し、他の部分は変形しない。そのため他の部分において、隙間が不要に発生することを防止することができる。
【００３３】
（実施の形態２）
以下本発明を実施の形態２に係るテレビジョン受信機を示す図面に基づいて詳述する。図９はシールドケース６０、弾性部材７０及びバックライトシャーシ４０を略示する拡大断面図である。図９に示すように、バックライトシャーシ４０の背面に、フランジ部６１に対向する部分に二つの突部４０ａ、４０ａが設けてある。突部４０ａは絞りによって形成されている。両突部４０ａ、４０ａはフランジ部６１の幅方向（シールドケース６０の周方向に交差する方向）に離間している。
【００３４】
ハーネス５５及びフラットケーブル５６は、突部４０ａ、４０ａ及びフランジ部６１の間を通ってシールドケース６０の外側に延出している。弾性部材７０は突部４０ａ、４０ａ間に位置する。フランジ部６１からの押圧力は、弾性部材７０を介してハーネス５５及びフラットケーブル５６に作用し、特に突部４０ａ、４０ａにおいて集中的に作用する。突部４０ａとハーネス５５及びフラットケーブル５６とは圧接し、また突部４０ａ付近において、弾性部材７０とハーネス５５及びフラットケーブル５６とは圧接する。そのためハーネス５５及びフラットケーブル５６の周囲は二箇所（二つの突部４０ａ、４０ａのある箇所）で封止され、ハーネス５５及びフラットケーブル５６の周囲における隙間の発生をより確実に防止し、不要輻射の漏出を充分に低減させることができる。
【００３５】
なお光源はＬＥＤに限らず、冷陰極蛍光管、熱陰極蛍光管、白熱球及びＥＬ(Electroluminescence)等でもよい。また本願に係る発明は、液晶表示装置のみならず、プラズマディスプレイ装置、有機ＥＬディスプレイ装置等他の表示装置にも適用することができる。
【００３６】
以上の本発明の実施の形態に関し、更に以下の事項を開示する。
【００３７】
本発明に係る表示装置１００は、映像を表示する表示パネル１０と、該表示パネル１０の背面側に配置してあり、光源を支持するバックライトシャーシ４０（支持部）と、該バックライトシャーシ４０に固定してあり、前記表示パネル１０の駆動制御又は画像処理を行う画像処理基板５３又は駆動制御基板５４（制御基板）と、該画像処理基板５３又は駆動制御基板５４を覆っており、電磁遮蔽のシールドケース６０とを備える表示装置１００において、前記シールドケース６０は前記バックライトシャーシ４０に対向し、前記シールドケース６０及びバックライトシャーシ４０間に弾性部材７０を設けてあり、前記画像処理基板５３又は駆動制御基板５４に接続してあり、前記シールドケース６０の外側に延びるハーネス５５及びフラットケーブル５６（配線）を前記弾性部材７０及び支持部によって挟持してあることを特徴とする。
【００３８】
本発明にあっては、シールドケース６０に弾性部材７０を設け、該弾性部材７０及びバックライトシャーシ４０間にてハーネス５５及びフラットケーブル５６を挟持するので、弾性部材７０はハーネス５５及びフラットケーブル５６の周囲に密着する。そのためハーネス５５及びフラットケーブル５６の周囲にて隙間が発生することを確実に防止し、電磁波（不要輻射）の漏出を充分に低減させることができる。
【００３９】
本発明に係る表示装置１００は、前記弾性部材７０に、前記シールドケース６０の周方向に交差する方向に沿う二つのスリット７１、７１を周方向に並設してあり、前記二つのスリット７１、７１の間に前記ハーネス５５及びフラットケーブル５６を配してあることを特徴とする。
【００４０】
本発明にあっては、スリット７１によって弾性部材７０の連続性が断たれているため、弾性部材７０におけるスリット７１の間に位置する部分のみが変形し、他の部分は変形しない。そのため他の部分において、隙間が不要に発生することを防止することができる。
【００４１】
本発明に係る表示装置１００は、前記支持部は前記シールドケース６０に対向する部分に、前記シールドケース６０の周方向に交差する方向に離間した二つの突部４０ａ、４０ａを有し、前記二つの突部４０ａ、４０ａの間に前記弾性部材７０を配してあることを特徴とする。
【００４２】
本発明にあっては、ハーネス５５又はフラットケーブル５６の周囲は二箇所（二つの突部４０ａのある箇所）で封止され、ハーネス５５又はフラットケーブル５６の周囲における隙間の発生をより確実に防止し、不要輻射の漏出を充分に低減させることができる。
【００４３】
本発明に係るテレビジョン受信機１は、上述したいずれか一つの表示装置１００と、テレビジョン放送を受信するチューナ２００（受信部）とを備え、前記チューナ２００にて受信したテレビジョン放送に基づいて、前記表示装置１００に映像を表示するようにしてあることを特徴とする。
【００４４】
本発明にあっては、上述した表示装置１００と同様な作用・効果を奏する。
【００４５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４６】
１  テレビジョン受信機
１０  表示パネル
４０  バックライトシャーシ（支持部）
４０ａ  突部
５３  画像処理基板（制御基板）
５４  駆動制御基板（制御基板）
５５  ハーネス（配線）
５６  フラットケーブル（配線）
６０  シールドケース
７０  弾性部材
７１  スリット
１００  表示装置
２００  チューナ（受信部）
【図１】
2014153415.tif 000003
【図２】
2014153415.tif 000004
【図３】
2014153415.tif 000005
【図４】
2014153415.tif 000006
【図５】
2014153415.tif 000007
【図６】
2014153415.tif 000008
【図７】
2014153415.tif 000009
【図８】
2014153415.tif 000010
【図９】
2014153415.tif 000011